(57)【要約】【課題】  車載ハンズフリーシステムを用いて音声通話中に、車のエンジンを切って通話を終了した場合に意に反して移動通信網との接続が維持されたり、携帯無線通信装置（ＡＧ）での通話に切り換えようとしてハンズフリー装置（ＨＦ）との音声リンクを切断した場合に意に反して移動通信網との接続が切断されたりしないようにする。【解決手段】  チャネル切断検出部３０１は、音声チャネル６がＡＧ３側から切断されたかＨＦ４側から切断されたかをが検出する。ＡＧ制御部３４は、前者の場合はＢＳ２との接続を維持するように変復調部３３を制御し、かつ、切換え部３８をＡＧスピーカ３６及びＡＧマイクロホン３７の側に切り換える。また、ＡＧ制御部３４は、後者の場合はＢＳ２との接続を切断するように変復調部３３を制御する。【選択図】  図１
2005110049.tif 000002
【特許請求の範囲】
【請求項１】
移動通信網に接続する携帯無線通信装置がハンズフリー装置との間で近距離通信手段による音声チャネル及びデータチャネルを設定し、前記音声チャネルを用いてハンズフリー形態の音声通話を可能にし、
前記音声チャネルが操作手段からの操作を受けて切断されたことを前記携帯無線通信装置が検出した場合は、前記移動通信網との接続を維持することを特徴とするハンズフリー通信制御方法。
【請求項２】
前記音声チャネルが前記ハンズフリー装置によって切断されたことを前記携帯無線通信装置が検出した場合は、前記移動通信網との接続を切断することを特徴とする請求項１に記載のハンズフリー通信制御方法。
【請求項３】
前記音声チャネルが前記ハンズフリー装置によって切断されたことを前記携帯無線通信装置が検出した場合は、前記移動通信網との接続に係る操作又は事前の設定にしたがって前記接続を維持又は切断することを特徴とする請求項１に記載のハンズフリー通信制御方法。
【請求項４】
前記音声チャネルが前記ハンズフリー装置によって切断された後の所定時間の経過前に、前記データチャネルが前記ハンズフリー装置によって切断されたことを前記携帯無線通信装置が検出した場合は、前記移動通信網との接続を切断することを特徴とする請求項１に記載のハンズフリー通信制御方法。
【請求項５】
音声通話に適する形状に外形を変化させて使用され、前記音声チャネルが前記ハンズフリー装置によって切断されたとき前記音声通話に適する外形をとっていないことを前記携帯無線通信装置が検出した場合は、前記移動通信網との接続を切断することを特徴とする請求項１に記載のハンズフリー通信制御方法。
【請求項６】
音声通話に適する形状に外形を変化させて使用され、前記音声チャネルが前記ハンズフリー装置によって切断されたとき前記音声通話に適する外形をとっていないことを前記携帯無線通信装置が検出した場合は、前記携帯無線通信装置の表示部に前記移動通信網に接続中である旨の警告表示を行うことを特徴とする請求項１に記載のハンズフリー通信制御方法。
【請求項７】
移動通信網に接続する手段と、
ハンズフリー装置との間で音声チャネル及びデータチャネルを設定する近距離通信手段と、
前記音声チャネルの切断及び前記移動通信網との接続に係る操作をする操作手段と、
前記音声チャネルが前記操作手段からの操作で切断されたか、又は前記ハンズフリー装置によって切断されたかを検出する検出手段と、
前記音声チャネルが前記操作手段からの操作で切断されたことを前記検出手段が検出した場合は、前記移動通信網との接続を維持する通信制御手段とを
備えたことを特徴とする携帯無線通信装置。
【請求項８】
前記音声チャネルが前記ハンズフリー装置によって切断されたことを前記検出手段が検出した場合は、前記通信制御手段は前記移動通信網との接続を切断することを特徴とする請求項７に記載の携帯無線通信装置。
【請求項９】
前記音声チャネルが前記ハンズフリー装置によって切断されたことを前記検出手段が検出した場合は、前記通信制御手段は前記操作手段からの前記移動通信網との接続に係る操作又は事前の設定にしたがって前記接続を維持又は切断することを特徴とする請求項７に記載の携帯無線通信装置。
【請求項１０】
前記音声チャネルが前記ハンズフリー装置によって切断された後の所定時間の経過前に、前記データチャネルが前記ハンズフリー装置によって切断されたことを前記検出手段で検出した場合、前記通信制御手段は前記移動通信網との接続を切断することを特徴とする請求項７に記載の携帯無線通信装置。
【請求項１１】
音声通話に適する形状に外形を変化させる手段と、
前記外形の形状を検出する形状検出手段とをさらに備え、
前記音声チャネルが前記ハンズフリー装置によって切断されたことを前記検出手段が検出し、かつ、前記音声通話に適する外形でないことを前記形状検出手段が検出した場合、前記通信制御手段は前記移動通信網との接続を切断することを特徴とする請求項７に記載の携帯無線通信装置。
【請求項１２】
音声通話に適する形状に外形を変化させる手段と、
前記外形の形状を検出する形状検出手段と、
前記音声チャネルが前記ハンズフリー装置によって切断されたことを前記検出手段が検出し、かつ、前記音声通話に適する外形でないことを前記形状検出手段が検出した場合、前記通信制御手段は表示部に前記移動通信網に接続中である旨の警告表示をする表示手段とを
さらに備えたことを特徴とする請求項７に記載の携帯無線通信装置。
【請求項１３】
移動通信網に接続する手段と、ハンズフリー装置との間で音声チャネル及びデータチャネルを設定する第1の近距離通信手段と、前記音声チャネルの切断及び前記移動通信網との接続に係る操作をする操作手段と、前記音声チャネルが前記操作手段からの操作で切断されたか、又は前記ハンズフリー装置によって切断されたかを検出する検出手段と、前記音声チャネルが前記操作手段からの操作で切断されたことを前記検出手段が検出した場合は、前記移動通信網との接続を維持する通信制御手段とを備えた携帯無線通信装置と、
前記携帯無線通信装置との間で前記音声チャネル及び前記データチャネルを設定する第２の近距離通信手段と、前記音声チャネルを切断する手段とを備えたハンズフリー装置とから
構成されたことを特徴とするハンズフリーシステム。
【請求項１４】
前記音声チャネルが前記ハンズフリー装置によって切断されたことを前記検出手段が検出した場合、前記通信制御手段は前記移動通信網との接続を切断することを特徴とする請求項１３に記載のハンズフリーシステム。
【請求項１５】
前記音声チャネルが前記ハンズフリー装置によって切断されたことを前記検出手段が検出した場合、前記通信制御手段は前記操作手段からの前記移動通信網との接続に係る操作又は事前の設定にしたがって前記接続を維持又は切断することを特徴とする請求項１３に記載のハンズフリーシステム。
【請求項１６】
前記音声チャネルが前記ハンズフリー装置によって切断された後の所定時間の経過前に、前記データチャネルが前記ハンズフリー装置によって切断されたことを前記検出手段が検出した場合、前記通信制御手段は前記移動通信網との接続を切断することを特徴とする請求項１３に記載のハンズフリーシステム。
【請求項１７】
音声通話に適する形状に外形を変化させる手段と、前記外形の形状を検出する形状検出手段とを前記携帯無線通信装置にさらに備え、
前記音声チャネルが前記ハンズフリー装置によって切断されたことを前記検出手段が検出し、かつ、前記音声通話に適する外形の形状でないことを前記形状検出手段が検出した場合、前記通信制御手段は前記移動通信網との接続を切断することを特徴とする請求項１３に記載のハンズフリーシステム。
【請求項１８】
前記携帯無線通信装置に、
音声通話に適する形状に外形を変化させる手段と、
前記外形の形状を検出する形状検出手段と、
前記音声チャネルが前記ハンズフリー装置によって切断されたことを前記検出手段が検出し、かつ、前記音声通話に適する外形の形状でないことを前記形状検出手段が検出した場合、表示部に前記移動通信網に接続中である旨の警告表示をする表示手段とを
さらに備えたことを特徴とする請求項１３に記載のハンズフリーシステム。
【発明の詳細な説明】
【技術分野】
【０００１】
本発明は、車中で携帯無線通信装置によるハンズフリー通話中にハンズフリー用の近距離通信リンクが切断された場合、携帯無線通信装置の移動通信網との接続を適切に維持又は切断することのできるハンズフリー通信制御方法、携帯無線通信装置及びハンズフリーシステムに関する。
【背景技術】
【０００２】
自動車内で携帯無線通信装置を介した通話をハンズフリーで行えるようにするための通信手順が、ハンズフリープロファイル（以下、ＨＦＰと略す。）として定義されている。それによれば、携帯無線通信装置が車載のハンズフリー装置と近距離通信手段（例えばブルートゥース等の近距離無線通信）により接続されてハンズフリーシステムが構成され、移動通信網を介した車中でのハンズフリー形態の通話を可能にする。また、ハンズフリー通話中に突然近距離通信手段によるリンク（以下、近距離通信リンクという。）が切断された場合（以下、これをリンクロスという。）には、一定時間内に近距離通信リンクが再接続されない限り、携帯無線通信装置が自動的に移動通信網との接続を切断するという手順が定められている。
【０００３】
しかし、例えば車のエンジンが切られたような場合に、近距離通信リンクを正常な手順にしたがって切断するのか、又は手順を踏まないリンクロスの形で切断するのかは、ＨＦＰに定義されていない。このため、ハンズフリー装置の設計仕様によっては、正常な手順にしたがって近距離通信リンクを切断する場合がある。また、近距離通信リンクが正常な手順にしたがって切断された場合、携帯無線通信装置が移動通信網との接続を維持するか切断するかも定義されていない。したがって、携帯無線通信装置の仕様によって当該接続が維持されたり切断されたりすることとなる。
【０００４】
これらのことから、使用者が車のエンジンを切ることにより移動通信網との接続が自動的に切断されると考えても、実際には当該接続が維持されていて課金状態が継続するという事態が起こり得る。また、逆に使用者が車のエンジンを切った後に携帯無線通信装置の本体を用いて通話を継続したいと考えても、その意思に関わりなく当該接続が切断されるという事態も起こり得る。
【０００５】
従来のハンズフリー装置に関し、携帯無線通信装置との間の近距離通信リンクの状態を監視した結果により移動通信網との間の接続を制御するという発明がなされている（例えば、特許文献１参照。）。この特許文献１に開示された発明は、ハンズフリー装置に上記の近距離通信リンクの状態を監視する機能を持たせ、良好でないときには警報表示、入力操作の無効化又は移動通信網との間の接続を切断する等の方法により、通話状態が継続して課金され続けるのを防止するというものである。
【０００６】
しかし、このような従来技術によっても、近距離通信リンクが切断された場合に、使用者の意思を反映して移動通信網との接続の維持又は切断を適切に制御することはできないという問題があった。
【特許文献１】特開２００２−３００６４８号公報  （第２ページ、図１）
【発明の開示】
【発明が解決しようとする課題】
【０００７】
従来のハンズフリー装置又はハンズフリーシステムでは、近距離通信リンクが切断された場合に、使用者の意思を反映して移動通信網との接続の維持又は切断を適切に制御することができないという問題があった。
【０００８】
本発明は上記問題を解決するためになされたもので、近距離通信リンクが切断された場合に携帯無線通信装置の移動通信網との接続を適切に維持又は切断することのできるハンズフリー通信制御方法、携帯無線通信装置及びハンズフリーシステムを提供することを目的とする。
【課題を解決するための手段】
【０００９】
上記目的を達成するために、本発明のハンズフリー通信制御方法は、移動通信網に接続すると共にハンズフリー装置との間に近距離通信手段による音声チャネル及びデータチャネルを設定した携帯無線通信装置が、前記音声チャネルを用いてハンズフリー形態の音声通話を可能にし、前記携帯無線通信装置は、操作を受けて前記音声チャネルが切断されたことを検出した場合に、前記移動通信網との接続を維持することを特徴とする。
【００１０】
また、本発明の携帯無線通信装置は、移動通信網に接続する手段と、ハンズフリー装置との間に音声チャネル及びデータチャネルを設定する近距離通信手段と、前記音声チャネルの切断及び前記移動通信網との接続に係る操作をする操作手段と、前記音声チャネルが前記操作を受けて切断されたか、又は前記ハンズフリー装置から切断されたかを検出する検出手段と、前記音声チャネルが前記操作を受けて切断されたことを前記検出手段が検出した場合に、前記移動通信網との接続を維持する通信制御手段とを備えたことを特徴とする。
【００１１】
さらに、本発明のハンズフリーシステムは、移動通信網に接続する手段と、ハンズフリー装置との間に音声チャネル及びデータチャネルを設定する近距離通信手段と、前記音声チャネルの切断及び前記移動通信網との接続に係る操作をする操作手段と、前記音声チャネルが前記操作を受けて切断されたか、又は前記ハンズフリー装置から切断されたかを検出する検出手段と、前記音声チャネルが前記操作を受けて切断されたことを前記検出手段が検出した場合に、前記移動通信網との接続を維持する通信制御手段とを備えた携帯無線通信装置と、前記携帯無線通信装置との間に前記音声チャネル及び前記データチャネルを設定する近距離通信手段と、前記音声チャネルを切断する手段とを備えたハンズフリー装置とから構成されたことを特徴とする。
【発明の効果】
【００１２】
本発明によれば、ハンズフリーシステムを構成する携帯無線通信装置とハンズフリー装置のどちらで近距離通信リンクの音声チャネルが切断されたかという点に着目して、使用者の意思にしたがって移動通信網との接続の維持又は切断を制御することができる。
【発明を実施するための最良の形態】
【００１３】
以下、図面を参照して本発明の実施例を説明する。
【実施例１】
【００１４】
以下、図１を参照して、本発明の実施例１を説明する。図１（ａ）は、本発明の実施例１に係るハンズフリーシステムの構成を、移動通信網と共に表したブロック図である。また、図1（ｂ）は、当該ハンズフリーシステムの動作により、その接続が一部変更された状態を表した図である。図中、移動通信網１は、公衆サービスを提供する移動通信網である。基地局２は、移動通信網１に属する基地局であり、ＢＳ（Ｂａｓｅ  Ｓｔａｔｉｏｎ）と略称される。この実施例１においては、説明の便宜上ＢＳ２と名付けるが、必ずしも唯一特定の基地局を表すものではない。
【００１５】
携帯無線通信装置３は、ハンズフリーシステムを構成する携帯無線電話機等の通信装置であり、ＡＧ（Ａｕｄｉｏ  Ｇａｔｅｗａｙ）と略称される。また、ハンズフリー装置４は、ハンズフリーシステムを構成し音声の入出力に用いられるハンズフリー装置で、ＨＦ（Ｈａｎｄｓ  Ｆｒｅｅ）と略称される。
【００１６】
次に、ＡＧ３の内部構成を説明する。ＡＧ３は、アンテナ３１、無線部３２及び変復調部３３を介して、ＢＳ２との間の無線通信を行う。ＡＧ制御部３４は、ＢＳ２との間の接続の設定、維持若しくは切断、ＨＦ４との間で近距離通信リンクの設定、維持若しくは切断、ＨＦ４への通話移管等を制御する。また、ＡＧ操作表示部３５は、ＡＧ３の操作入力及び表示出力に用いられる。
【００１７】
ＡＧスピーカ３６及びＡＧマイクロホン３７は、ＡＧ３が通話に用いられる場合のユーザインターフェースとして機能する。変復調部３３とＡＧスピーカ３６及びＡＧマイクロホン３７との間に設けられた切換え部３８は、ＡＧ３又はＨＦ４のいずれが通話に用いられるかによって、音声信号の流れを切り換える。切換え部３８は、ＡＧ制御部３４によってその切換えを制御される。ＡＧ近距離通信部３９は、ＨＦ４との間で近距離通信手段を構成する部分であって、変復調等の近距離通信に必要な機能を持つ。近距離通信手段が無線リンクである場合は、さらに無線部やアンテナに相当する機能も持つ。
【００１８】
チャネル切断検出部３０１は、ＡＧ近距離通信部３９から情報を得て、ＡＧ３及びＨＦ４の間の近距離通信リンク上のチャネルが切断されたことを検出する。その際、ＡＧ制御部３４からも情報を得て、ＡＧ３又はＨＦ４のどちらからチャネルが切断されたかという点を含めて検出する。
【００１９】
なお、音声の符号化及び復号化機能は、図１において切換え部３８の左側に設けてもよく、右側に設けてもよい。左側に設けた場合は、変復調部３３に含まれると考える。また、右側に設けた場合は、ＡＧスピーカ３６及びＡＧマイクロホン３７に含まれると考える。この点は、ＡＧ近距離通信部３９の適切な構成と整合させて適宜設計すべきものであるから、図１では図が複雑になるのを避けるため省略している。
【００２０】
続いて、ＨＦ４の内部構成を説明する。ＨＦ近距離通信部４１は、ＡＧ３のＡＧ近距離通信部３９に対向して近距離通信手段を構成する部分である。ＨＦ近距離通信部４１は、ＡＧ近距離通信部３９と同様の機能を持つ。ＡＧ近距離通信部３９とＨＦ近距離通信部４１の間で近距離通信リンクが確立された後は、データ又は制御信号用のデータチャネル５と、音声チャネル６を設定することができる。
【００２１】
ＨＦ４に通話が移管された後は、ＨＦスピーカ４２及びＨＦマイクロホン４３が、通話用のユーザインターフェースとして機能する。ＨＦ制御部４４は、ＨＦ４への通話移管等を制御する。また、ＨＦ操作部４５は、ＨＦ４の操作入力に用いられる。
【００２２】
次に図1（ａ）、（ｂ）及び図２を参照して、本発明の実施例１の動作について説明する。図２は、本発明の実施例１に係るハンズフリーシステムの動作を説明するシーケンス図である。図中のＢＳ２、ＡＧ３及びＨＦ４のライン間を結ぶ矢印は、ＢＳ２、ＡＧ３及びＨＦ４の間の通信イベントを表す。ＢＳ２、ＡＧ３又はＨＦ４のライン上に表されたブロックは、ＢＳ２、ＡＧ３又はＨＦ４それぞれの動作イベントを表す。また、図の上方から下方に向かって時間が経過するものとする。
【００２３】
初めに、ＨＦ４を利用するハンズフリー形態の音声通話が、ＡＧ３及びＢＳ２を経由して行われているものとする（イベントＥ２１）。この場合、ＡＧ近距離通信部３９とＨＦ近距離通信部４１の間で音声チャネル６を介して音声の伝送が行われると共に、データチャネル５を介して定常的な制御信号のやり取りが行われている。この状態でＡＧ操作表示部３５を操作して音声チャネル５を切断する操作が行われる（イベントＥ２２）。ＡＧ制御部３４はこの操作入力を受け、ＡＧ近距離通信部３９からデータチャネル５を経てＨＦ近距離通信部４１に対し音声チャネル６を切断する制御信号を送出して（イベントＥ２３）、音声チャネル６を切断する。
【００２４】
チャネル切断検出部３０１は、ＡＧ制御部３４がＡＧ操作表示部３５から操作入力を受けて音声チャネル６を切断したことを検出する。ＡＧ制御部３４は、この検出結果を受けて、ＢＳ２との間の接続を維持するように変復調部３３を制御する。同時にＡＧ制御部３４は、切換え部３８を制御して音声信号の経路を切り換え、ＡＧスピーカ３６及びＡＧマイクロホン３７を用いて音声通話を継続できるようにする（イベントＥ２４、Ｅ２５）。使用者がＡＧ３を操作して音声チャネル６を切断したということは、そのままＡＧ３を用いて通常形態の通話を継続する意思の表れと考えられるからである。図１（ｂ）は、同じハンズフリーシステムにおいて上述したように音声チャネル６が切断されて喪失し、切換え部３８において音声信号の経路が切り換えられた状態を表している。
【００２５】
本発明の実施例１によれば、音声チャネル６の切断がＡＧ３における操作によることを認識して移動通信網1との間の接続を維持するので、ハンズフリー形態の通話から通常形態の通話へスムーズに移行することができる。
【実施例２】
【００２６】
以下、図３を参照して、本発明の実施例２の動作を説明する。図３は、本発明の実施例２に係るハンズフリーシステムの動作を説明するシーケンス図である。なお、実施例２のハンズフリーシステムの構成は、実施例１と同じであるから、図１（ａ）、（ｂ）も適宜参照する。
【００２７】
初めに、ＨＦ４を利用するハンズフリー形態の音声通話が、ＡＧ３及びＢＳ２を経由して行われているものとする（イベントＥ３１）。この場合、ＡＧ近距離通信部３９とＨＦ近距離通信部４１の間で音声チャネル６を介して音声の伝送が行われると共に、データチャネル５を介して定常的な制御信号のやり取りが行われている。この状態で，ＨＦ４において音声チャネル６を切断させる操作が行われる（イベントＥ３２）。このイベントＥ３２は、例えば車のエンジンが切られ、若しくはＨＦ４の電源が切られ、又はＨＦ操作部４５における音声チャネル6の切断操作が行われたことに対応する。その結果、音声チャネル6は切断されるが、これが正常な手順にしたがって切断されるか、又は手順を踏まないリンクロスの形で切断されるかは、背景技術の説明において述べたように一意に定まらない。
【００２８】
まず、正常な手順にしたがって切断される場合は、ＨＦ近距離通信部４１からデータチャネル５を介してＡＧ近距離通信部３９に、音声チャネル６の切断を示す制御信号が伝送される。チャネル切断検出部３０１は、ＡＧ近距離通信部３９が当該制御信号を受信したことにより、音声チャネル６がＨＦ４から正常な手順にしたがって切断されたことを検出する。
【００２９】
一方、リンクロスの形で切断される場合は、音声の伝送が途絶えるだけでなく、上記の定常的な制御信号のやり取りも途絶える。チャネル切断検出部３０１は、例えばＡＧ近距離通信部３９がＨＦ近距離通信部４１に送った制御信号に対する近距離通信部４１からの受け取り信号を所定の時間が経過しても受信しないことにより、音声チャネル６がＨＦ４からリンクロスの形で切断されたことを検出する。
【００３０】
図３においては、ＡＧ近距離通信部３９がＨＦ近距離通信部４１から音声チャネル６の切断を示す制御信号を受信したか、又は受け取り信号を所定の時間が経過しても受信しなかった場合に、ＨＦ近距離通信部４１からＡＧ近距離通信部３９に対して「音声チャネル切断の情報」が送られたものとして表している（イベントＥ３３）。
【００３１】
ＡＧ制御部３４は、上述したように音声チャネル６が正常に又はリンクロスとしてＨＦ４から切断されたことをチャネル切断検出部３０１が検出すると、ＢＳ２との間の接続を切断するように変復調部３３を制御する。使用者がＨＦ４の操作又はエンジン停止等の操作により音声チャネル６を切断したということは、通話そのものを終了する意思の表れである蓋然性が高いと考えられるからである。この結果、通話を終了したにも関わらずＢＳ２との接続が維持され知らぬ間に課金されるという事態を防止することができる。なお、音声チャネル６がＡＧ３における操作により切断された場合の動作は、実施例１と同じである。
【００３２】
本発明の実施例２によれば、音声チャネル６のＨＦ４からの切断が正常終了かリンクロスかに関わらずＢＳ２との接続を切断するので、通話そのものの終了による移動通信網との接続の切断が使用者の意思通り実行され、その都度確認する必要を省くことができる。
【実施例３】
【００３３】
以下、図４を参照して、本発明の実施例３の動作を説明する。図４は、本発明の実施例３に係るハンズフリーシステムの動作を説明するシーケンス図である。なお、実施例３のハンズフリーシステムの構成は実施例１又は実施例２と同じであるから、図１（ａ）、（ｂ）も適宜参照する。
【００３４】
まず、イベントＥ３１からＥ３３までは、図３に示した実施例２と同じであるから同じ符号を付してその説明は省略する。実施例２と同様に、音声チャネル６が正常に又はリンクロスとしてＨＦ４から切断されたことをチャネル切断検出部３０１が検出すると、ＡＧ制御部３４はＢＳ２との接続の維持又は切断について使用者の操作入力を求める旨をＡＧ操作表示部３５に表示する（イベントＥ４４）。これは、実施例２の場合と異なり、ＨＦ４から音声チャネル６が切断された場合に通話の継続について使用者の意思を改めて確かめるためである。ＡＧ操作表示部３５への表示については、例えば表示灯を点滅させて表示画面に操作入力を促すメッセージを表示する等の方法が考えられる。
【００３５】
これに対してＡＧ操作表示部３５から、ＢＳ２との接続の維持又は切断を指示する操作が行われると、ＡＧ制御部３４はそれにしたがってＢＳ２との間の接続を維持又は切断するように変復調部３３を制御する。維持する場合には、実施例１と同様に切換え部３８の切換えも行う。その結果により、以降の音声通話が継続又は終了される（イベントＥ４５）。
【００３６】
なお、この場合のＢＳ２との接続の維持又は切断について、使用者が事前に設定した内容を予めＡＧ制御部３４に記憶しておき、その内容にしたがってＢＳ２との間の接続を維持又は切断する方法も考えられる（イベントＥ４４のかっこ書）。また、音声チャネル６がＡＧ３における操作により切断された場合の動作は、実施例１と同じである。
【００３７】
本発明の実施例３によれば、音声チャネル６のＨＦ４からの切断が正常終了かリンクロスかに関わらずＢＳ２との接続を使用者の意思にしたがって維持又は切断するので、使用者の意思をより正確に反映させることができる。
【実施例４】
【００３８】
以下、図５を参照して、本発明の実施例４の動作を説明する。図５は、本発明の実施例４に係るハンズフリーシステムの動作を説明するシーケンス図である。なお、実施例４のハンズフリーシステムの構成は、実施例１乃至実施例３と同じであるから、図１（ａ）、（ｂ）も適宜参照する。
【００３９】
まず、イベントＥ３１からＥ３３までは、図３又は図４に示した各実施例と同じであるから同じ符号で示したもので、その説明は省略する。この実施例4では、その後時間ｔを経て、ＨＦ近距離通信部４１からＡＧ近距離通信部３９に対しデータチャネル５を切断する制御信号が送出される（イベントＥ５４）。チャネル切断検出部３０１は、イベントＥ３３とＥ５４の時間差ｔとある定められた値Ｔとの大小を比較する。ｔ＜Ｔであることが検出されると、ＡＧ制御部３４はＢＳ２との接続を切断するように変復調部３３を制御する。また、ｔ≧Ｔであることが検出されると、ＡＧ制御部３４はＢＳ２との接続を維持するように変復調部３３を制御する（イベントＥ５５）。維持する場合には、実施例１と同様に切換え部３８の切換えも行う。その結果により、以降の音声通話が継続又は終了される（イベントＥ５６）。
【００４０】
このように制御するのは、音声チャネル６の切断とデータチャネル５の切断とが同時に又は僅少の時間差をもって行われたことは通話終了の意思の表れであり、ある程度以上の時間差をもって行われたことは通話継続の意思の表れである蓋然性が高いと考えられるからである。なお、音声チャネル６がＡＧ３における操作により切断された場合の動作は、実施例１と同じである。
【００４１】
本発明の実施例４によれば、音声チャネル６の切断からデータチャネル５の切断までの時間差に表れた使用者の意思にしたがうことにより、ＢＳ２との接続の維持又は切断の処理を簡便かつ確実に行うことができる。
【実施例５】
【００４２】
以下、図６を参照して、本発明の実施例５を説明する。図６は、本発明の実施例１に係るハンズフリーシステムの構成を、移動通信網と共に表したブロック図である。図６の図1（ａ）との相違点は、ＡＧ３に外形変化検出部３０２を備えたことであり、その他の構成はすべて図1（ａ）と共通である。外形変化検出部３０２は、ＡＧ３の外形が通常形態での音声通話に適さない状態（例えばＡＧ３が２筐体開閉型構成をとる場合に閉じられた状態、又は開き角が所定値以下の状態）であることを検出するものである。
【００４３】
次に図７を参照して、本発明の実施例５の動作を説明する。図７は、本発明の実施例５に係るハンズフリーシステムの動作を説明するシーケンス図である。
【００４４】
まず、イベントＥ３１からＥ３３までは、図３乃至図５に示した各実施例と同じであるから同じ符号で示したもので、その説明は省略する。この実施例５では、音声チャネル６がＨＦ４から切断されたことをチャネル切断検出部３０１が検出すると、ＡＧ制御部３４はＡＧ３の外形が通常形態での音声通話に適さない状態にないかどうかを、外形変化検出部３０２の検出結果により確認する。もしＡＧ３の外形が通常形態での音声通話に適さない状態にあれば、ＡＧ制御部３４はＢＳ２との間の接続を切断するように変復調部３３を制御する。そうでなければ、ＡＧ制御部３４はＢＳ２との接続を維持するように変復調部３３を制御する（イベントＥ７４）。維持する場合には、実施例１と同様に切換え部３８の切換えも行う。その結果により、以降の音声通話が継続又は終了される（イベントＥ７５）。
【００４５】
ＡＧ３の外形が通常形態での音声通話に適さない状態にあることを外形変化検出部３０２が検出した場合に、ＡＧ制御部３４がＡＧ操作表示部３５に警告表示することも考えられる。そのようにした場合は、ＡＧ３の外形の状態に関わらず、ＢＳ２との接続の維持又は切断について改めて使用者の意思を確認することができる。
【００４６】
実施例５は、実施例３又は実施例４と組み合わせることもできる。すなわち、実施例３又は実施例４においてＢＳ２との接続を維持すべきと判断される場合であっても、さらにＡＧ３の外形の状態によって当該接続の維持の可否を決定することができる。なおいずれの場合にも、音声チャネル６がＡＧ３における操作により切断された場合の動作は、実施例１と同じである。
【００４７】
本発明の実施例５によれば、ＡＧ３の外形上ＢＳ２との接続を維持すべきかどうかを判断することができ、またその効果が実施例３又は実施例４の効果に重ねて得られるという特徴がある。
【図面の簡単な説明】
【００４８】
【図１】本発明の実施例１に係るハンズフリーシステムのブロック図。
【図２】本発明の実施例１に係るハンズフリーシステムのシーケンス図。
【図３】本発明の実施例２に係るハンズフリーシステムのシーケンス図。
【図４】本発明の実施例３に係るハンズフリーシステムのシーケンス図。
【図５】本発明の実施例４に係るハンズフリーシステムのシーケンス図。
【図６】本発明の実施例５に係るハンズフリーシステムのブロック図。
【図７】本発明の実施例５に係るハンズフリーシステムのシーケンス図。
【符号の説明】
【００４９】
１  移動通信網
２  基地局（ＢＳ）
３  携帯無線通信装置（ＡＧ）
４  ハンズフリー装置（ＨＦ）
５  データチャネル
６  音声チャネル
３１  アンテナ
３２  無線部
３３  変復調部
３４  ＡＧ制御部
３５  ＡＧ操作表示部
３６  ＡＧスピーカ
３７  ＡＧマイクロホン
３８  切換え部
３９  ＡＧ近距離通信部
３０１  チャネル切断検出部
３０２  外形変化検出部
４１  ＨＦ近距離通信部
４２  ＨＦスピーカ
４３  ＨＦマイクロホン
４４  ＨＦ制御部
４５  ＨＦ操作部
【図１】
2005110049.tif 000003
【図２】
2005110049.tif 000004
【図３】
2005110049.tif 000005
【図４】
2005110049.tif 000006
【図５】
2005110049.tif 000007
【図６】
2005110049.tif 000008
【図７】
2005110049.tif 000009